(57)【要約】【課題】  ハードディスクドライブ等を有さないポータブルオーディオプレーヤ、車載オーディオプレーヤでも、その仕様を問わず再生でき、ユーザに音声データに関する情報を提供できるオーディオシステムの提供。【解決手段】  コンパクトディスクに、音声データを所定の方式でエンコードした圧縮オーディオファイル群３２に加え、アーティスト名、タイトル、ジャンル等の属性情報と圧縮音声ファイルを記録するアドレス情報を関連付けた情報ファイル３３を含んだフォーマットで記録を行う。ディスク再生装置は、上記フォーマットで記録されたコンパクトディスクから情報ファイルを読み出して、アーティスト名、タイトル、ジャンル等を一覧できる選曲リストをユーザに提示する。【選択図】            図３
2006114148.tif 000002
【特許請求の範囲】
【請求項１】
音声データを所定の方式でエンコードした圧縮音声ファイルと、
少なくとも前記音声データの属性情報と圧縮音声ファイルが記録されたアドレス情報を関連付けた情報ファイルと、を保持し、
音声再生装置側で、前記情報ファイルに基づいて、少なくとも音声データの属性情報を出力可能としたこと、
を特徴とする音声記録媒体。
【請求項２】
前記アドレス情報は、音声記録媒体における各圧縮音声ファイルが記録されたセクタ情報であって、
音声再生装置側で、前記情報ファイルに基づいて音声再生リストを出力し、前記音声再生リストからセクタ情報を引き出し、音声を選択的に再生可能としたこと、
を特徴とする請求項１に記載の音声記録媒体。
【請求項３】
前記情報ファイルは、音声記録媒体に構築されたファイルシステム中の予め定められた位置に保持されていること、
を特徴とする請求項１又は２に記載の音声記録媒体。
【請求項４】
前記音声データは楽曲データであって、前記属性情報は、楽曲のジャンルに関する情報を含み、
音声再生装置側で、ジャンル分けされた楽曲再生リストを出力し、前記楽曲再生リストからアドレス情報を引き出し、楽曲を選択的に再生可能としたこと、
を特徴とする請求項１乃至３いずれか一に記載の音声記録媒体。
【請求項５】
前記音声データの属性情報は、圧縮音声ファイルの再生の際の推奨設定に関する情報を含み、
音声再生装置側で、前記推奨設定に従った音声の再生を可能としたこと、
を特徴とする請求項１乃至４いずれか一に記載の音声記録媒体。
【請求項６】
請求項１乃至５いずれか一に記載の音声記録媒体から前記情報ファイルを読み出す情報ファイル読み出し部と、
前記情報ファイルから音声再生リストを生成出力する再生リスト出力部と、
前記音声再生リストに基づき、再生する音声の選択を受け付ける音声データ選択部と、
前記情報ファイルに記録されたアドレス情報に基いて、選択された圧縮音声ファイルを再生する音声再生部と、を備えること、
を特徴とする音声再生装置。
【請求項７】
コンピュータに音声再生処理を実行させるためのプログラムであって、
請求項１乃至５いずれか一に記載の音声記録媒体から前記情報ファイルを読み出す処理と、
前記情報ファイルから音声再生リストを生成出力する処理と、
前記音声再生リストに基づき、再生する圧縮音声ファイルの選択を受け付ける処理と、
前記情報ファイルに記録されたアドレス情報に基いて、選択された圧縮音声ファイルを再生する処理と、の前記各処理を前記コンピュータに実行させるプログラム。
【請求項８】
音声データの属性情報を編集する属性情報編集部と、
前記音声データを所定の方式でエンコードした圧縮音声ファイルと、少なくとも前記音声データの属性情報と前記圧縮音声ファイルを記録するアドレス情報を関連付けた情報ファイルと、を記録媒体に書き込む書込処理部と、を備えること、
を特徴とする音声記録媒体作成装置。
【請求項９】
コンピュータに、複数の圧縮音声ファイルを記録媒体に書き込む処理を行わせるためのプログラムであって、
音声データの属性情報を編集する属性情報編集処理と、
前記音声データを所定の方式でエンコードした圧縮音声ファイルと、少なくとも楽曲の属性情報と楽曲ファイルを記録するアドレス情報を関連付けた情報ファイルと、を記録媒体に書き込む処理と、
の前記各処理を前記コンピュータに実行させるプログラム。
【発明の詳細な説明】
【技術分野】
【０００１】
本発明は、音声の選択を容易化するためのフォーマットに関し、特に、このフォーマットで記録された音声記録媒体、この音声記録媒体の再生に適した音声再生装置、この音声記録媒体の作成装置、及び、プログラムに関する。
【背景技術】
【０００２】
従来のＣＤ−ＤＡ（Ｃｏｍｐａｃｔ  Ｄｉｓｋ  Ｄｉｇｉｔａｌ  Ａｕｄｉｏ）データを格納した音楽用のコンパクトディスク（以下、ＣＤという）では、１０〜２０曲程度の曲が記録したものが一般的である。これらの曲情報を記録媒体中に書き込む方法として、ＣＤ−ＴＥＸＴという規格があり、タイトル（Ｔｉｔｌｅ）、演奏者（Ｐｅｒｆｏｒｍｅｒ）、作詞（Ｓｏｎｇｗｒｉｔｅｒ）、作曲（Ｃｏｍｐｏｓｅｒ）、 編曲（Ａｒｒａｎｇｅｒ）、ジャンル（Ｇｅｎｒｅ）等をＣＤのＴＯＣ（ＴａｂｌｅＯｆＣｏｎｔｅｎｔｓ）領域に記録し、再生装置側で読み出し、利用できるようになっている。
【０００３】
また、近年のディジタル技術の発展に伴ない、ＣＤ、ＤＶＤ（Ｄｉｇｉｔａｌ  Ｖｅｒｓａｔｉｌｅ  Ｄｉｓｃ）プレーヤのようなディジタル方式の音声再生装置が実用化されている。特に、記録型ＣＤに、ＭＰ３（ＭＰＥＧ  Ａｕｄｉｏ  Ｌａｙｅｒ−３）、ＷＭＡ（Ｗｉｎｄｏｗｓ  Ｍｅｄｉａ  Ａｕｄｉｏ）といった圧縮オーディオファイルを記録し、再生する装置が急速に普及している。この種の圧縮オーディオ技術を用いれば、一つのＣＤトラックに対し、数十〜数百曲以上を記録できるが、上記ＣＤ-ＴＥＸＴ規格では、一つのＣＤトラックに対して一つの情報のみが許容されるため、各曲に曲情報を付与することはできない。
【０００４】
このように、圧縮オーディオ技術を利用すると、一つの記録媒体に非常に多くの楽曲を収納できるものとなっているが、希望のファイル（曲）を選択するためのインデックスがなく、不便が生じている。これに対して、ハードディスクを用いて、ＭＰ３等の圧縮オーディオデータとともにそのタイトル情報等を記録するようにしたものと、ハードディスクを用いないで媒体に書き込むようにしたものとがある。
【０００５】
前者のハードディスクを用いるものとしては、特開２００２−２３０９４５号公報記載のものがある。図１０は、同公報記載の情報記録再生装置の構成を表した図である。図１０において、Ｊ１１は情報記録再生装置、Ｊ１２は光ディスク、Ｊ１３は再生部、Ｊ１４はハードディスク、Ｊ１５は記録再生部、Ｊ１６はスピンドルモータ、Ｊ１７はピックアップ、Ｊ１８は信号処理部、Ｊ１９はサーボ回路、Ｊ１１０は第１制御部、Ｊ１１１は第２制御部、Ｊ１１２はハードディスクドライブ、Ｊ１１３はデコーダ回路、Ｊ１１４は出力回路、Ｊ１１５は送受信部、Ｊ１１６はシステムコントローラ、Ｊ１１７は操作部、Ｊ１１８は表示部である。ＣＤ等の光ディスクＪ１２からオーディオデータＳaを再生してハードディスクＪ１４に記録等する際、オーディオデータＳaに対応するタイトル情報をハードディスクＪ１４中のデータベース領域ＤＢより検索し、検索したタイトル情報をオーディオデータＳaに付随させてストレージ領域ＳＴに記録する。ここで、対応するタイトル情報が検索できないときは、「タイトル情報無し」のフラグ情報を付随させて記録する。
【０００６】
爾後、光ディスク等によってアップデートされたタイトル情報が提供され、アップデートされたタイトル情報がデータベース領域ＤＢに追加記録されると、自動的に「タイトル情報無し」となっていたオーディオデータに対応するタイトル情報が付加される。また、送受信部Ｊ１１５を介してインターネットへ接続し、タイトル情報入手することも可能とされている。
【０００７】
後者のハードディスクを用いないものとしては、特開平１１−１２０６７５号公報記載のものがある。また、同公報では、ＣＤ−ＲＯＭに、楽曲選択プログラム、オーディオ情報ファイル、イメージ情報ファイル、テキスト情報ファイル等を記録し、楽曲選択プログラムおよび各種ファイルを主メモリにロードし、楽曲の選択、オーディオ、テキスト、イメージの再生を行う楽曲データベース装置を構成している。
【０００８】
図１１は、特開平１１−１２０６７５号記載の楽曲データベース装置の構成を表した図である。図１１において、Ｊ２１７はＣＤ-ＲＯＭ駆動装置、Ｊ２１７ａはＣＤ-ＲＯＭ、Ｊ２１６はハードディスク記憶装置、Ｊ２１３は表示装置、Ｊ２１４はキーボード、Ｊ２１８はスピーカ、Ｊ２１５はマウス、Ｊ２１１はＣＰＵ、Ｊ２１２は主メモリ、Ｊ２２１は選択プログラム、Ｊ２２２はオーディオ情報、Ｊ２２３はイメージ情報、Ｊ２２４はテキスト情報である。ＣＤ−ＲＯＭＪ２１７ａは、楽曲選択プログラムＪ２２１、オーディオ情報ファイルＪ２２２、イメージ情報ファイルＪ２２３、テキスト情報ファイルＪ２２４を記憶している。オーディオ情報は、１／２０〜１／１０に圧縮されて記憶されている。ＣＤ−ＲＯＭＪ２１７ａに記憶されている楽曲選択プログラムＪ２２１及び各種ファイルＪ２２２〜Ｊ２２４は、直接主メモリＪ２１２にロードされて、楽曲の選択、オーディオ、テキスト、イメージの再生を行うようになっており、ハードディスク記憶装置Ｊ２１６の空容量を考慮することなく、あたかも通常のオーディオＣＤを再生するように利用できるようになっている。
【０００９】
【特許文献１】特開２００２−２３０９４５号公報
【特許文献２】特開平１１−１２０６７５号公報
【発明の開示】
【発明が解決しようとする課題】
【００１０】
しかしながら、上記した特許文献１の方法では、通常のＣＤ再生装置に加え、図１２に示すようなストレージ領域ＳＴとしてハードディスク等の別の記録装置が必須となる。加えて、ハードディスクのデータベース領域ＤＢに膨大なタイトル情報を蓄積する必要があり、これには再生録音の対象となっていないものも含まれるため、決して効率のよいものとはいえない。
【００１１】
また、上記した特許文献２の方法では、ハードディスク等の別の記録装置は不要であるが、楽曲選択プログラムを直接実行させる関係上、ＣＰＵ、オペレーティングシステム（ＯＳ）が限定されてしまうという問題点がある。特に、パーソナルコンピュータ（ＰＣ）以外の、ポータブルオーディオプレーヤや車載オーディオプレーヤ等での使用を考慮すると、４ビット、８ビットＣＰＵが主流であり、また、プログラム言語もＣＰＵ毎に異なっているほか、ＯＳを用いない場合も多く、広い意味での汎用性は高くはないといえる。また、特許文献２の方法では、楽曲選択プログラムの容量は相応の大きさになることが予想され、オーディオ情報ファイルを記録できる領域が一層限られてしまうことが懸念される。
【００１２】
従って、ＰＣは勿論として、ハードディスクドライブ等を有さないポータブルオーディオプレーヤ、車載オーディオプレーヤでも、その仕様を問わず再生でき、ユーザに音声データに関する情報を提供できるオーディオシステムの提案が持ち望まれている。
【課題を解決するための手段】
【００１３】
本発明の第１の視点によれば、音声データを所定の方式でエンコードした圧縮音声ファイルと、少なくとも音声データの属性情報と圧縮音声ファイルを記録した先頭アドレス情報を関連付けた情報ファイルと、を保持する楽曲記録媒体が提供される。音声再生装置は、上記フォーマットで記録された音声記録媒体から前記した情報ファイルを読み出して、音声データの属性情報を出力することができる。
【００１４】
また、本発明の第２の視点によれば、上述の音声記録媒体の再生装置、音声記録媒体の作成装置、及び、コンピュータを前記各装置として動作させるプログラムが提供される。
【発明の効果】
【００１５】
本発明によれば、同一の記録媒体に記録された多数の圧縮音声ファイルの情報を得ることが可能となる。その理由は、音声データの属性情報を保持する情報ファイルを楽曲記録媒体に格納するとともに、この情報ファイルを読み出して再生可能とした構成を採用したことにある。
【発明を実施するための最良の形態】
【００１６】
本発明を実施するための最良の形態は、ＣＤに記録される圧縮オーディオファイル（ＭＰ３、ＷＭＡ等）形式の楽曲の属性情報とセクタアドレス（ＣＤに記録されている圧縮オーディオファイルの絶対アドレス）をまとめた情報ファイル（圧縮オーディオファイルのデータベース）を作成し、そのＣＤに記録して構成される。このＣＤの再生時には、記録された情報ファイルを参照し、その内容をユーザのために適宜の態様で表示するとともに、再生対象となる圧縮オーディオファイルの選択を受け付けて再生を行う。以下、図面を用いて、本発明を、音楽用のＣＤに適用した実施の形態を詳細に説明する。
【００１７】
本実施の形態のＣＤは、ＣＤの一つのトラックに多数の（少なくとも一般の楽曲で数十曲以上可能である）の圧縮オーディオファイルを記録したものである。上述のとおり、情報ファイルも同一ディスクに記録され、再生対象となる圧縮オーディオファイルの情報をディスクから呼び出し、楽曲再生リストを構築してユーザに提示する。また、特定の曲の再生は、この楽曲再生リストのセクタ情報を用いて直接データにアクセスして実行する。
【００１８】
図１は、本実施の形態の楽曲記録媒体を再生するディスク再生装置の概略構成を表した図である。図１を参照すると、ディスク再生装置は、ＣＤ１と、モータ２と、光ピックアップ３と、信号処理回路６と、マイクロコンピュータ７と、入出力装置８と、デコーダ回路１３と、切り替え回路１４を備え、未圧縮音声データと圧縮オーディオファイルの双方を再生可能となっている。
【００１９】
ＣＤ１は、ディスク型の情報記録媒体である。モータ２は、ドライバ回路５によるサーボ制御により所定の回転速度にてディスクを回転駆動させる。光ピックアップ３は、ドライバ回路４によるサーボ制御により、ＣＤ１の任意の位置に移動し、ＣＤ１の記録情報を読み取る。
【００２０】
光ピックアップ３より読み出された信号は、信号処理回路６、切り替え回路１４へ入力され、未圧縮の音声データの場合は、アナログ信号に変換されオーディオ出力が行われる。一方、圧縮オーディオファイルの場合は、デコーダ回路１３により、圧縮音声データの復元が行われた後に、アナログ信号に変換されオーディオ出力が行われる。
【００２１】
マイクロコンピュータ７は、信号処理回路６や、再生リスト出力部や音声データ選択部を構成する入出力装置８からの信号を受付け、ドライバ回路４，５に駆動信号を与える制御回路９と、制御回路９からの情報により各種情報処理を行うＣＰＵ１１と、後述する楽曲再生リストの出力等の各種プログラムが記憶されているＲＯＭ１０と、ＣＰＵ１１を介して再生位置、ＴＯＣ情報、ＣＤ−ＲＯＭの情報等を記憶するＲＡＭ１２とを備える。
【００２２】
また、信号処理回路６は、光ピックアップ３より読み出された信号からサーボエラー信号や、サブコード信号・ＣＤ−ＲＯＭ情報をマイクロコンピュータ７に与える。マイクロコンピュータ７は、信号処理回路６からのサーボエラー信号によりドライバ回路４、５に対し駆動信号を与える。また、マイクロコンピュータ７は、信号処理回路６からのサブコード信号に含まれる再生位置情報やＴＯＣ（ＴａｂｌｅＯｆＣｏｎｔｅｎｔｓ：目次情報）情報とＣＤ−ＲＯＭにおけるファイル構造、圧縮オーディオファイル情報を示すパステーブル情報をＲＡＭ１２に記憶し、入出力装置８から与えられる目標曲番号などから任意の位置に光ピックアップ３を移動させることができる。
【００２３】
図２、図３は、図１のＣＤ１に記録されるデータの記録フォーマットとその構成を説明するための図である。図２を参照すると、ディスクの最内周側にＴＯＣ情報が記録されたリードＩＮ領域１５が設けられ、その外側にＣＤ−ＲＯＭパステーブル１６、圧縮オーディオファイル群１７、情報ファイル１８が記録され、最後にリードＯＵＴ領域１９が設けられている。図３は図２の等価な図であり、リードＩＮ領域３０に次いで、ＣＤ−ＲＯＭデータのファイル構造、ファイル名等が記録されたＣＤ−ＲＯＭパステーブル３１を格納する領域が設けられている。その後は、ＣＤ−ＲＯＭ領域になっており、圧縮オーディオファイル群３２、情報ファイル３３（図７参照）を格納され、最後に、リードＯＵＴ領域３４が設けられている。なお、ＣＤ−ＲＯＭ領域には、画像ファイル、テキストファイル、コンピュータプログラム等も記録可能となっている。
【００２４】
なお、上記した記録フォーマットで楽曲記録媒体の作成は、ＣＤ−Ｒ、ＣＤ−ＲＷドライブ等の書き込み可能なディスクドライブを備え、圧縮オーディオファイルの書き込み処理と、後述する情報ファイルの編集処理と、を実行可能なコンピュータプログラムがインストールされたコンピュータによって行うことができる。
【００２５】
ここで、サブＱコード（サブコードＱチャネル）を含むサブコード体系について説明しておく。ＣＤにおいては、ＣＤ−ＤＡデータ、ＣＤ−ＲＯＭデータとを問わず全データはすべてサブコードと呼ばれるコードで管理される。サブコードとしてはＰコード、サブＱコード、Ｒ〜Ｗコードがある。Ｐコードは、曲の頭出しに用いるコードであり、サブＱコードはディスクの目次情報であるＴＯＣとデータの絶対アドレスに関するコードであり、Ｒ〜ＷコードはＣＤ−Ｇのライングラフィックスなどで用いるユーザビットに関するコードである。サブＱコードは、図４のように規格化されており、コントロールコード（ＣＯＮＴＲＯＬ）、ＡＤＲＥＳＳ（ＡＤＲ）、ＤＡＴＡ領域等で構成されている。ＤＡＴＡ領域は、タイトル番号を表すＴＮＯ、記録されているトラック番号の開始アドレスをそれぞれ分、秒の絶対アドレスとして表したＭＩＮ、ＳＥＣ、音声データの最小単位（１／７５秒）であるフレームの何番目かを表すＦＲＡＭＥ等により構成されている。
【００２６】
また図４のコントロールコード（ＣＯＮＴＲＯＬ）３５は、４ビットで構成され、データの種類及び属性を定義している。Ｘを０又は１として表すと、００Ｘ０はエンファシスがかかっていない２チャンネルオーディオ信号を表し、０１Ｘ０はＣＤ−ＲＯＭデータが記録されているデータトラックを表し、ＸＸ０Ｘはディジタルコピー禁止属性を表している。
【００２７】
続いて、ＣＤ−ＲＯＭファイルシステムについて説明する。図５は、ＣＤ−ＲＯＭに構成されたファイルシステムの一例を表した図である。図５のＣＤ−ＲＯＭは、基本ボリューム記述子としてディスクがＣＤ-ＲＯＭの規格で記録されていることを表すボリューム記述子が与えられ、ディレクトリ情報にはディレクトリ構造やフォルダ名が保持され、ファイルアドレス情報にはファイル名とそのファイルが格納されているディスク上の絶対アドレス等が保持されて構成されている。
【００２８】
図６は、情報ファイルの一例を表した図である。図６の情報ファイルには、楽曲の属性情報として、記録されている圧縮オーディオファイル名、楽曲のアーティスト名、タイトル、ジャンル、曲長、ビットレート、再生チャンネル数、サンプリング周波数、データファイルのサイズ、ファイルが記録されているディスク上の絶対アドレスとなる再生開始アドレスが保持されている。
【００２９】
また、この情報ファイルは、他のファイルと識別可能なように、予め定める名称又は拡張子が与えられる。また、この情報ファイルは、ファイルシステムのルートディレクトリ、ルートディレクトリ内のフォルダ等の予め定めた位置に格納されることが好ましい。
【００３０】
続いて、上述した楽曲記録媒体を再生する際の動作について説明する。図７は、図１のディスク再生装置の動作を表したフローチャートである。図７を参照すると、まず、図３に例示した構成でデータが記録されたＣＤ１が光ディスク再生装置にセットされると、光ディスク再生装置は、リードＩＮ領域のデータを読み込み、ディスクのＴＯＣ情報を読み込む（ステップＳＴ１）。続いて、光ディスク再生装置は、読み込んだＴＯＣ情報より、各トラックのコントロールコードを抽出し（ステップＳＴ２）、ＣＤ１がＣＤ−ＤＡのオーディオディスクであるか、ＣＤ−ＲＯＭディスクであるかを判定する（ステップＳＴ３）。ここで、ＣＤ１が、ＣＤ−ＤＡのオーディオディスクの場合は、光ディスク再生装置は、ＴＯＣ情報を基に、ＣＤオーディオ再生処理（ステップＳＴ１２）を行って、通常のＣＤプレーヤとしての音楽再生を行う。
【００３１】
一方、ＣＤ−ＲＯＭディスクと判定した場合は、光ディスク再生装置は、ＣＤ−ＲＯＭパステーブル３１の内容を読み込んで、ＣＤ−ＲＯＭとしてのファイル構造を読み込む（ステップＳＴ４）。より具体的には、光ディスク再生装置は、図３に例示されたＣＤ−ＲＯＭ領域に記録されている圧縮オーディオファイル群３２や情報ファイル３３の開始アドレス、ディレクトリ名やファイル名等を取得する。ここで、光ディスク再生装置は、上記ステップＳＴ４で取得したファイル構造を確認し、ファイルの拡張子等から、圧縮オーディオファイルが存在するか否かを判断し（ステップＳＴ５）、圧縮オーディオファイルが存在しない場合は処理を終了する。
【００３２】
続いて、光ディスク再生装置は、同様にファイルの拡張子等から、図６に例示した情報ファイル３３が存在するか否かを確認する（ステップＳＴ６）。ここで、情報ファイルが存在しない場合は、光ディスク再生装置は、パステーブル３１を参照し図５に示すＣＤ−ＲＯＭファイルシステムの内容に基づいて、圧縮オーディオファイルの抽出を行い（ステップＳＴ１０）、圧縮オーディオ再生プログラムを起動し（ステップＳＴ１１）、圧縮オーディオの再生を行う。
【００３３】
一方、ステップＳＴ７において情報ファイルが存在した場合は、光ディスク再生装置は、その内容を読み込み（ステップＳＴ７）、楽曲再生リストを作成する（ステップＳＴ８）。併せて、光ディスク再生装置は、再生リストからそれぞれのファイル名、再生開始アドレスを抽出しておく（ステップＳＴ９）。
【００３４】
図８、図９は、楽曲再生リストの出力例であり、情報ファイルに含まれるジャンルによって、ＪＡＺＺ楽曲とＲＯＣＫ楽曲を別々に提示するものとなっている。それぞれの再生リストには、ファイル名、その音声データのアーティスト名、タイトル、曲長、圧縮音声のビットレート、再生チャンネル数、サンプリング周波数、ファイルサイズ、ファイルが記録されているディスク上の絶対アドレスとなる再生開始アドレス等が含まれている。また、図８、図９の例では、ジャンルによって楽曲再生リストを作成しているが、情報ファイルに定義された楽曲の属性情報を利用してアーティスト別、タイトル別等の表示を行うことも可能である。
【００３５】
光ディスク再生装置は、上記図８、図９に例示したような楽曲再生リストを、入出力装置８を介してユーザに提示し、再生する楽曲の選択を受け付ける。選択された楽曲は、図１の入出力装置８を介し制御回路９からＣＰＵ１１に与えられ、ステップＳＴ９で抽出したファイル名に対する再生開始アドレスから、圧縮オーディオファイルの抽出を行い（ステップＳＴ１０）、圧縮オーディオ再生プログラムを起動し（ステップＳＴ１１）、圧縮オーディオの再生を行う。
【００３６】
以後、ユーザの指示に応じて、ステップＳＴ９へ戻り、楽曲を再生することができる。また、新たなＣＤ１が光ディスク再生装置にセットされた場合には、ステップＳＴ１から処理を開始する。
【００３７】
以上説明したように、上記構成の楽曲記録媒体によれば、楽曲選択プログラムをＣＤに記録しておく必要がない。換言すれば、再生装置としては、圧縮オーディオファイルの再生機能と、情報ファイルを読み出し、必要な情報を適宜出力する機能さえあれば足りることになる。従って、従来の音楽ＣＤ同様、ＣＰＵやＯＳ（オペレーティングシステム）を特定する必要がなくなり、ＰＣ以外のオーディオ再生装置においても容易に楽曲選択を行う構成を得ることができる。
【００３８】
また上述の説明からも明らかなとおり、情報ファイルは記録媒体に格納された圧縮オーディオファイルの属性情報であるから、上記した楽曲選択プログラムファイルに比べて、十分に小さなサイズに抑えることが可能であり（１／１０〜１／１００）、この結果として、圧縮オーディオファイルを記録する領域をより多く確保できることになる。
【００３９】
また、上述の構成によれば、ＣＤ専用の再生装置のような選曲動作が比較的遅い装置においても、ハードディスク等を必要とせずに、情報ファイルの取扱い機能を備えることで、高速なファイル楽曲選択と再生を実現することができる。
【００４０】
また、上記した実施の形態で例示した情報ファイルに、楽曲毎の音響効果、音量設定、イコライザ設定、音場補正設定等も含めて定義しておき、楽曲再生リストに表示させ、再生時に、これら設定を反映させることもできる。この場合は、図７のステップＳＴ９の再生するファイルの絶対アドレスの抽出処理とともに、これらの設定処理を行うようにすればよい。
【００４１】
また上記した実施の形態においては、収録されたデータが未圧縮の音声データ（ＣＤ−ＤＡ）か、ＣＤ−ＲＯＭデータかによって、それぞれ別の再生処理を行うものとして説明したが、これらが混在する場合には、ＴＯＣ情報と、情報ファイルとを統合して楽曲再生リストを生成するようにしても良い。
【００４２】
また上記した実施の形態においては、“楽曲”を録音単位とする例にとって説明したが、語学学習用の会話音声、予備校・通信教育等の講義音声等にも適用可能であり、会話や講義の中の適当な区切りをもって、録音単位とし、これに対応する情報ファイルを作成することができる。
【００４３】
また、上記した実施の形態では、少なくともファイル名とセクタ情報（セクタアドレス：ＣＤのデータを示すディスク上の絶対アドレス）のみで圧縮オーディオファイルを再生することができ、詳細なファイルシステムの解析が不要となる。そして、ディレクトリ階層、ファイル数が多くなればなるほど、その優位性は顕著となる。
【００４４】
ここで、８階層、２５４フォルダ、９９９ファイルのファイルシステムを解析する場合について考える。典型的なＣＤ−ＲＯＭのファイルシステムの規格において、フォルダ情報については、ＣＤ−ＲＯＭの最小データ単位である１セクタに１フォルダ分の情報が記録されている。１セクタは、２０４８バイトのデータである。また、１セクタのデータ読み込み時間は標準再生速度の場合１３．３ｍｓである。従って、２５４フォルダの読み込みには１フォルダ情報＝１セクタ１３．３ｍｓ×２５４セクタ＝３３７８．２ｍｓ＝３．４秒となる。このフォルダ情報の読み込みを行うことで９９９ファイルの情報も読み込めることになる。
【００４５】
一方、本発明に係る情報ファイルのサイズは、１ファイル分に８０バイトを確保しても、８０バイト×９９９ファイル＝７９９２０バイトで足り、セクタに換算すると７９９２０バイト÷２０４８バイト＝３９セクタである。情報ファイルのアドレス情報は、ＣＤ−ＲＯＭファイルシステムの１フォルダに記録することができるので、情報ファイルの読み込み時間に、１フォルダの読み込み時間１３．３ｍｓを加算する。そうすると、読み込み時間は、（１３．３ｍｓ×３９セクタ）＋（１３．３ｍｓ×１セクタ）＝５３２ｍｓ＝０．５秒となる。
【００４６】
以上のように、ファイルシステムの解析を伴う従来方式によれば、ＣＤ−ＲＯＭ領域に記録された９９９ファイルの把握に、約３秒要するが、本発明の方法を用いれば、情報ファイルの検出と情報ファイル読み込みで済むことになり、０．５ｍｓ程度でこれを行うことが可能となる。
【図面の簡単な説明】
【００４７】
【図１】本発明の第１の実施の形態に係る楽曲記録媒体を再生する装置の概略構成を表した図である。
【図２】本発明の第１の実施の形態の楽曲記録媒体を説明するための図である。
【図３】本発明の第１の実施の形態の記録フォーマットを説明するための図である。
【図４】記録フォーマットのリードＩＮ領域の構成を説明するための図である。
【図５】本発明の第１の実施の形態の楽曲記録媒体に構成されたファイルシステムを説明するための図である。
【図６】情報ファイルの一例を表した図である。
【図７】本発明の第１実施の形態の楽曲再生装置の楽曲再生処理の流れを表したフローチャートである。
【図８】図６の情報ファイルから生成される楽曲再生リスト（ジャズ）の例である。
【図９】図６の情報ファイルから生成される別の楽曲再生リスト（ロック）の例である。
【図１０】従来の楽曲再生装置の構成を表したブロック図である。
【図１１】別の従来の楽曲再生装置の構成を表したブロック図である。
【図１２】図１０の楽曲再生装置の問題点を説明するための図である。
【符号の説明】
【００４８】
１  ＣＤ
２  モータ
３  光ピックアップ
４、５  ドライバ回路
６  信号処理回路
７  マイクロコンピュータ
８  入出力装置
９  制御回路
１０  ＲＯＭ
１１  ＣＰＵ
１２  ＲＡＭ
１３  デコーダ回路
１４  切り替え回路
１５、３０  リードＩＮ領域
１６、３１  （ＣＤ−ＲＯＭ）パステーブル
１７、３２  圧縮オーディオファイル群
１８、３３  情報ファイル
１９、３４  リードＯＵＴ領域
３５  コントロールコード（ＣＯＮＴＲＯＬ）
【図１】
2006114148.tif 000003
【図２】
2006114148.tif 000004
【図３】
2006114148.tif 000005
【図４】
2006114148.tif 000006
【図５】
2006114148.tif 000007
【図６】
2006114148.tif 000008
【図７】
2006114148.tif 000009
【図８】
2006114148.tif 000010
【図９】
2006114148.tif 000011
【図１０】
2006114148.tif 000012
【図１１】
2006114148.tif 000013
【図１２】
2006114148.tif 000014